(57)【要約】【課題】  養生パネルが前後に動くことなく、被養生壁面に沿いしっかりと起立状に保持されて、壁面を養生保護することができる建築途上又は引越し時における建築構造物の壁面養生パネルの起立保持具を提供すること。【解決手段】  足部2と、足部2に連なる起立部3を有し、起立部3は、略垂直な正面板部4と天井板部5及び傾斜状の養生パネル押え背面板部6を有し、かつこれら正面板部4、天井板部5、養生パネル押え背面板部6により形成された略三角形状空間部9によってばね性が付与され、足部2と起立部3の一部分には、断面略L形状の硬質樹脂製の補強板材10が固着され、足部2における床面との対接裏面には止着部材12が設けられて構成され、床面上に止着された足部2を介し、かつばね性を付与された起立部3における養生パネル押え背面板部6の全面と壁面とにより養生パネルがしっかりと起立状に押えられる。【選択図】    図1
2005325550.tif 000002
【特許請求の範囲】
【請求項１】
建築途上又は引越し時における建築構造物の壁面養生パネルの起立保持具であって、
床面上に取り外し可能に止着される足部と、該足部に連なる起立部を有する全体が硬質樹脂板材からなる略L型体にして、前記起立部は、略垂直な正面板部と天井板部及び傾斜状の養生パネル押え背面板部を有し、かつこれら正面板部、天井板部、養生パネル押え背面板部により形成された略三角形状空間部によってばね性が付与され、
前記足部は、前記正面板部と前記養生パネル押え背面板部の端部により二重板状に重合接着されて形成され、
該足部と前記起立部の一部分には、断面略L形状の硬質樹脂製の補強板材が固着され、
更に、前記足部における床面との対接裏面には、前記床面に対する取り外し可能な止着部材が設けられて構成され、
前記床面上に止着された前記足部を介し、かつばね性を付与された前記起立部における養生パネル押え背面板部の全面と壁面とにより養生パネルが起立状に押えられて保持され、以って壁面が養生保護される構成を特徴とする建築途上又は引越し時における建築構造物の壁面養生パネルの起立保持具。
【請求項２】
前記足部の裏面に設けられた止着部材が、二面に区画して設けられた、ウレタン樹脂発泡材にアクリル系接着剤を塗布して構成された水洗い可能にして再使用可能な粘着テープと、面状ファスナの凸面部分(雄側)を有する面状ファスナであって、前記床面がフローリング面、タイル面、大理石面の場合には、前記粘着テープを介して前記足部が止着され、前記床面がジュウタン面、ニードルパンチ面の場合には、前記面状ファスナを介して前記足部が止着される構成を特徴とする請求項1の建築途上又は引越し時における建築構造物の壁面養生パネルの起立保持具。
【請求項３】
建築途上又は引越し時における建築構造物の壁面養生パネルの起立保持具であって、
床面上に取り外し可能に止着される足部と、該足部に連なる起立部を有する全体が硬質樹脂板材からなる略L型体にして、前記起立部は、略垂直な正面板部と天井板部及び傾斜状の養生パネル押え背面板部を有し、かつこれら正面板部、天井板部、養生パネル押え背面板部により形成された略三角形状空間部によってばね性が付与され、
前記足部は、前記正面板部と前記養生パネル押え背面板部の端部により二重板状に重合接着されて形成され、
該足部と前記起立部の一部分には、断面略L形状の硬質樹脂製の補強板材が固着され、
更に、前記足部における床面との対接裏面には前記床面に対する取り外し可能な止着部材が設けられて構成された起立保持具本体と、
硬質樹脂製にして、断面略L型のコーナーアングル部材と
を備え、
該コーナーアングル部材が、前記起立保持具本体の天井板部と養生パネル押え背面板部に係着されて複数の起立保持具本体間に架設され、前記起立保持具本体相互間において設けられている少なくとも2枚の前記養生パネルが前記コーナーアングル部材により起立状に押えられて保持される構成を特徴とする建築途上又は引越し時における建築構造物の壁面養生パネルの起立保持具。
【請求項４】
前記起立保持具本体における前記足部の裏面に設けられた止着部材が、二面に区画して設けられた、ウレタン樹脂発泡材にアクリル系接着剤を塗布して構成された水洗い可能にして再使用可能な粘着テープと、面状ファスナの凸面部分(雄側)を有する面状ファスナであって、前記床面がフローリング面、タイル面、大理石面の場合には、前記粘着テープを介して前記足部が止着され、前記床面がジュウタン面、ニードルパンチ面の場合には、前記面状ファスナを介して前記足部が止着される構成を特徴とする請求項3の建築途上又は引越し時における建築構造物の壁面養生パネルの起立保持具。
【発明の詳細な説明】
【技術分野】
【０００１】
本発明は家屋の新築、改修等の工事中、或いは工事完成から入居するまでの間、更には引越し時において建築構造物の壁面を一時的に養生保護するため、これら被養生壁面を養生するベニヤ板やプラスチック板等の養生パネルを壁面に沿って起立状に保持するための建築途上又は引越し時における建築構造物の壁面養生パネルの起立保持具に関するものである。
【背景技術】
【０００２】
従来、建築途上又は引越し時における建築構造物の壁面の養生保護は、全体が略Ｌ字形をした所謂ブックスタンド型の保持具を用い、該保持具における押さえ板部で養生パネルを壁面との間で押さえ付けて養生をしていた。
【０００３】
ところが、従来の保持具は、全体がブリキ板やプラスチック板で作られていたため、前者においては、重量的に重くて取り扱い上不便であり、又ブリキ板のために錆びが出て、床面等を汚してしまうという問題点があり、又後者においては、重量的には軽くて、養生パネルの重さにより動いてしまい、養生パネルが前倒れしてしまうという問題点があった。
【０００４】
そこで、この改善策として、本発明者等は、先に載置板部と養生パネル押え板部を有し、かつ全体が硬質樹脂板材からなる略L型体にして、養生パネル押さえ板部の縦方向には、上部から載置板部との境界基部までに亘り、かつ一辺の縦折り目線を残して内側に向いたコ字形の切り込みが少なくとも左右対称に設けられ、これら左右の切り込みにより形成された補強リブ片部が、それぞれ一辺の縦折り目線を介して外側に観音開き状に略直角に折り曲げられて少なくとも左右の2個所に補強リブ片部が設けられ、更に載置板部の床面との対接裏面に滑り止め部材が粘着されて構成された壁面養生パネルの起立保持具を発明し、これを特許出願(特願2003-376597)した。
【０００５】
しかしながら、この特願2003-376597に係る起立保持具も1枚の硬質樹脂材から成るものであって、左右2箇所の補強リブ片を有するも、養生パネルの大きさや重さ等によっては起立保持具が前後にふらつくことがあり、これとて十分なものではなかった。
【０００６】
又、載置板部の裏面に粘着された滑り止め部材では、床面上に起立保持具を固定的に止着して置くことはできず、養生パネルの起立状保持には十分なものではなかった。
【発明の開示】
【発明が解決しようとする課題】
【０００７】
本発明が解決しようとする問題点は、養生パネルの重さで起立保持具が動いてしまって、養生パネルが前倒れしてしまうという点である。
【０００８】
したがって、本発明の目的は、起立保持具が動くことがなくて、しっかりと養生パネルを一時的に被養生壁面に沿い起立状に保持して、壁面を養生保護することができる建築途上又は引越し時における建築構造物の壁面養生パネルの起立保持具を提供することにある。
【０００９】
又、本発明の目的は、少ない数の起立保持具で、多数枚の養生パネルを一時的に起立状にしっかりと押え置くことができる建築途上又は引越し時における建築構造物の壁面養生パネルの起立保持具を提供することにある。
【課題を解決するための手段】
【００１０】
この目的のため、本発明の請求項1に記載の建築途上又は引越し時における建築構造物の壁面養生パネルの起立保持具は、建築途上又は引越し時における建築構造物の壁面養生パネルの起立保持具であって、床面上に取り外し可能に止着される足部と、該足部に連なる起立部を有する全体が硬質樹脂板材からなる略L型体にして、前記起立部は、略垂直な正面板部と天井板部及び傾斜状の養生パネル押え背面板部を有し、かつこれら正面板部、天井板部、養生パネル押え背面板部により形成された略三角形状空間部によってばね性が付与され、前記足部は、前記正面板部と前記養生パネル押え背面板部の端部により二重板状に重合接着されて形成され、該足部と前記起立部の一部分には、断面略L形状の硬質樹脂製の補強板材が固着され、更に、前記足部における床面との対接裏面には前記床面に対する取り外し可能な止着部材が設けられて構成され、記床面上に止着された前記足部を介し、かつばね性を付与された前記起立部における養生パネル押え背面板部の全面と壁面とにより養生パネルが起立状に押えられて保持され、壁面が養生保護される構成を特徴とするものである。
【００１１】
本発明の請求項2に記載の建築途上又は引越し時における建築構造物の壁面養生パネルの起立保持具は、前記足部の裏面に設けられた止着部材が、二面に区画して設けられた、ウレタン樹脂発泡材にアクリル系接着剤を塗布して構成された水洗い可能にして再使用可能な粘着テープと、面状ファスナの凸面部分(雄側)を有する面状ファスナであって、前記床面がフローリング面、タイル面、大理石面の場合には、前記粘着テープを介して前記足部が止着され、前記床面がジュウタン面、ニードルパンチ面の場合には、前記面状ファスナを介して前記足部が止着される構成を特徴とするものである。
【００１２】
本発明の請求項3に記載の建築途上又は引越し時における建築構造物の壁面養生パネルの起立保持具は、建築途上又は引越し時における建築構造物の壁面養生パネルの起立保持具であって、床面上に取り外し可能に止着される足部と、該足部に連なる起立部を有する全体が硬質樹脂板材からなる略L型体にして、前記起立部は、略垂直な正面板部と天井板部及び傾斜状の養生パネル押え背面板部を有し、かつこれら正面板部、天井板部、養生パネル押え背面板部により形成された略三角形状空間部によってばね性が付与され、前記足部は、前記正面板部と前記養生パネル押え背面板部の端部により二重板状に重合接着されて形成され、該足部と前記起立部の一部分には、断面略L形状の硬質樹脂製の補強板材が固着され、更に、前記足部における床面との対接裏面には前記床面に対する取り外し可能な止着部材が設けられて構成された起立保持具本体と、硬質樹脂製にして、断面略L型のコーナーアングル部材とを備え、該コーナーアングル部材が、前記起立保持具本体の天井板部と養生パネル押え背面板部に係着されて複数の起立保持具本体間に架設され、前記起立保持具本体相互間において設けられている少なくとも2枚の前記養生パネルが前記コーナーアングル部材により起立状に押えられて保持される構成を特徴とするものである。
【発明の効果】
【００１３】
本発明に係る建築途上又は引越し時における建築構造物の壁面養生パネルの起立保持具によれば、床面上に取り外し可能に止着される足部と、該足部に連なる起立部を有する全体が硬質樹脂板材からなる略L型体にして、前記起立部は、略垂直な正面板部と天井板部及び傾斜状の養生パネル押え背面板部を有し、かつこれら正面板部、天井板部、養生パネル押え背面板部により形成された略三角形状空間部によってばね性が付与され、前記足部は、前記正面板部と前記養生パネル押え背面板部の端部により二重板状に重合接着されて形成され、該足部と前記起立部の一部分には、断面略L形状の硬質樹脂製の補強板材が固着され、更に、前記足部における床面との対接裏面には前記床面に対する取り外し可能な止着部材が設けられて構成されているから、養生パネルは、傾斜状とされ、かつばね性を付与された養生パネル押え背面板部の全面によって強力に押えられるため、養生パネルは前後に動くことなく、被養生壁面に沿ってしっかりと起立状に保持されて壁面を養生保護し得るものである。
【００１４】
又本発明に係る建築途上又は引越し時における建築構造物の壁面養生パネルの起立保持具によれば、床面上に取り外し可能に止着される足部と、該足部に連なる起立部を有する全体が硬質樹脂板材からなる略L型体にして、前記起立部は、略垂直な正面板部と天井板部及び傾斜状の養生パネル押え背面板部を有し、かつこれら正面板部、天井板部、養生パネル押え背面板部により形成された略三角形状空間部によってばね性が付与され、前記足部は、前記正面板部と前記養生パネル押え背面板部の端部により二重板状に重合接着されて形成され、該足部と前記起立部の一部分には、断面略L形状の硬質樹脂製の補強板材が固着され、更に、前記足部における床面との対接裏面には前記床面に対する取り外し可能な止着部材が設けられて構成された起立保持具本体と、硬質樹脂製にして、断面略L型のコーナーアングル部材とを備え、該コーナーアングル部材が、前記起立保持具本体の天井板部と養生パネル押え背面板部に係着されて複数の起立保持具本体間に架設され、前記起立保持具本体相互間において設けられている少なくとも2枚の前記養生パネルが前記コーナーアングル部材により起立状にしっかりと押えられて保持されるものであるから、少ない数の起立保持具で、多数枚の養生パネルを一時的に起立状に押え置くことができるものである。
【発明を実施するための最良の形態】
【００１５】
以下に図面を参照して、本願に係る発明を実施するための最良の形態についてその作用と共に説明する。
【００１６】
図１は、本発明に係る建築途上又は引越し時における建築構造物の壁面養生パネルの起立保持具の一例での斜視図、図2は、一部省略の縦断面図、図3は、足部の拡大裏面図で、これら図において、本起立保持具1は全体が硬質樹脂板材、好ましくはポリプロピレン樹脂材から成る矩形板材を略二重にして、かつ略L型状に折り曲げ加工して形成されている。
【００１７】
更に説明すると、本起立保持具1は、床面100上に取り外し可能に止着される足部2と、該足部2に連なる起立部3を有し、起立部3は、略垂直な正面板部4と、該正面板部4に連なる幅の狭い天井板部5及び該天井板部5に連なるやや内側(正面板部4側)に傾斜した養生パネル押え背面板部6を有している。
【００１８】
足部2は、正面板部4と養生パネル押え背面板部6のそれぞれL型に折り曲げられた下端部7と下端部8が熱圧着等の接着手段により二重に重合接着されて形成されている。
【００１９】
そして、起立部3は正面板部4、天井板部5及び養生パネル押え背面板部6により形成された略三角形状空間部9によってばね性が付与されている。
【００２０】
足部2(正面板部4の下端部7上)と起立部3(正面板部4)の一部分には、足部2と起立部3との基部を強固なものとするために、断面略L形状の硬質樹脂製の補強板材10が熱接着等の手段を介して接着固定されている。
【００２１】
なお、起立部3における正面板部4の縦又は横方向には、作業者等の注意を喚起するため、例えば「壁立てキーパー」、「養生中」、「整理整頓」、「火気厳禁」、「安全第一」等の文字や図柄等11を直接又はカラーラベル等を介して表示するようにしてもよい。
【００２２】
足部2において、その置かれる床面100との対接裏面(養生パネル押え背面板部6の下端部8)には止着部材12が設けられている。
【００２３】
この止着部材12は、床面100との対接裏面の全体に同一部材を設けてもよいが、好ましくは、図3に示されているように、同一裏面に周縁を残し、かつ間隔を有して二区画し、一方の全面には、ウレタン樹脂発泡材にアクリル系接着剤を塗布して構成された水洗いができて、再使用可能な粘着テープ13を設け、他方の全面には、面状ファスナの凸面部分(雄側)を有する面状ファスナ14を設けるようにしてもよい。
【００２４】
これによって、床面100がフローリング面、タイル面、大理石面等の場合には、粘着テープ13を介して足部2が取り外し可能に止着され、床面100がジュウタン面、ニードルパンチ面の場合には、面状ファスナ14を介して足部2が取り外し可能に止着される。
【００２５】
このように構成された本起立保持具1は、図4及び図5に例示されているように、床面100上に適当な間隔で、かつその起立部3における養生パネル押え背面板部6の全面を養生パネル101に当接させ、正面板部4がやや前かがみになった状態で足部2を止着させて定置させる。
【００２６】
床面100に止着させる場合、床面100がフローリング面、タイル面、大理石面等の場合には粘着テープ13を介し、ジュウタン面、ニードルパンチ面の場合には面状ファスナ14を介して止着させることは前述の通りである。
【００２７】
このようにして本起立保持具1が定置されると、各養生パネル101は、略三角形状空間部9によってばね性が付与されている養生パネル押え背面板部6と補強板材10とにより、養生パネル101は前後にぐらつくことなくしっかりと起立状に押えられ、壁面は養生パネル101により養生保護される。
【００２８】
床面100がフローリング面、タイル面、ジュウタン面のいずれであっても、同じ起立保持具1をもってしっかりと起立状に定置させることができ、又、着脱容易であって何回でも再使用が可能である。
【００２９】
又、全体が硬質樹脂製であるから、軽くて持ち運び等の取り扱い上において楽であり、又、サビたり、腐ったりの心配がなく、長期保管ができる。
【００３０】
図6から図8には、本発明の請求項3、4に記載の建築途上又は引越し時における建築構造物の壁面養生パネルの起立保持具が示されており、これら図において、本起立保持具は、前記図1から図5に示された起立保持具1と同一構造と同一の作用効果を有する起立保持具本体1と、断面略L型のコーナーアングル部材20を備えている。
【００３１】
起立保持具本体1の構造、作用効果については、前期起立保持具1と全く同様であるため、図1から図5に示された主要部分と同一部分に同一の符号を附すに止め、それらの説明は前記段落番号0016から段落番号0024までの説明を援用し、説明は省略する。
【００３２】
コーナーアングル部材20は、ポリプロピレン等の硬質樹脂材から成る全長が所定の長さを有する長尺体であって、起立保持具本体1における起立部3の天井板部5に外接する天井板部21と、該天井板部21に対し略垂直に連なる養生パネル押え板部22を有し、断面略L型を呈している。
【００３３】
このように構成された本起立保持具は、図8に例示されているように、多数枚の養生パネル101が並べられた床面100上にして、かつ対各養生パネル101毎ではなく、少なくとも1枚以上置いた養生パネル101の部位に、コーナーアングル部材20の天井板部21を各起立保持具本体1の天井板部5に外接させて養生パネル101間に架設されるとともに、コーナーアングル部材20の養生パネル押え板部22を各起立保持具本体1の養生パネル押え背面板部6で養生パネル101に押え付けた状態で各起立保持具本体1の足部2を床面100上に止着させる。
【００３４】
すると、各養生パネル101は、それぞれコーナーアングル部材20の養生パネル押え板部22でしっかりと起立状に押えられ、壁面は養生パネル101により養生保護される。
【００３５】
この起立保持具本体1とコーナーアングル部材20を備えた本起立保持具によれば、少ない数の起立保持具本体1で多くの養生パネル101をしっかりと一時起立状に保持して壁面等を養生保護することができる。
【図面の簡単な説明】
【００３６】
【図１】本発明に係る建築途上又は引越し時における建築構造物の壁面養生パネルの起立保持具の一例での斜視図である。
【図２】本発明に係る建築途上又は引越し時における建築構造物の壁面養生パネルの起立保持具の一例での一部省略の断面図である。
【図３】足部の拡大裏面図である。
【図４】使用状態の一例を示す一部省略の正面図である。
【図５】図4の縦断面図である。
【図６】コーナーアングル部材の一例を示す一部省略の正面図である。
【図７】図6の7-7線に沿った断面図である。
【図８】使用状態の一例を示す正面図である。
【符号の説明】
【００３７】
1    起立保持具(起立保持具本体)
2    足部  
3    起立部
4    正面板部
5    天井板部
6    養生パネル押え背面板部
7    正面板部の下端部
8    養生パネル押え背面板部の下端部
9    略三角形状空間部
10    補強板材
11    文字や図柄等の表示
12    止着部材
13    再利用可能な粘着テープ
14    面状ファスナ
20    コーナーアングル部材
21    天井板部
22    養生パネル押え板部  
100    床面
101    養生パネル
【図１】
2005325550.tif 000003
【図２】
2005325550.tif 000004
【図３】
2005325550.tif 000005
【図４】
2005325550.tif 000006
【図５】
2005325550.tif 000007
【図６】
2005325550.tif 000008
【図７】
2005325550.tif 000009
【図８】
2005325550.tif 000010